(57)【要約】【課題】ホログラフィック再生画像の劣化を防ぐことができ、再生信号のエラーレイトを低減させることができる記録再生装置、これを用いた記録再生方法、更には再生装置及び再生方法を提供する。【解決手段】  光源２１から出射される光を空間変調可能な空間光変調器２３と、この空間光変調器２３を経由した光をホログラフィック記録媒体７０に非平行光として入射させる集光レンズ２４と、ホログラフィック記録媒体７０からの出力光を検出する検出器２９と、この検出器２９の出力信号を入力し、再生信号として復調する復調器３３と、再生時に、再生信号を空間光変調器２３に入力するように、空間光変調器２３の入力を切り換えるスイッチＳ1とを備える。再生時に、記録層７２から得た再生信号を空間光変調器２３へ帰還する帰還ループを形成する。【選択図】      図１
2008097738.tif 000002
【特許請求の範囲】
【請求項１】
記録層と、該記録層の表面に一体に形成された回折格子とを備え、該回折格子により発生した複数の次数の回折光により干渉縞を形成して、前記記録層に情報を記録するホログラフィック記録媒体を用いる記録再生装置であって、
光源と、
該光源から出射される光を空間変調可能な空間光変調器と、
該空間光変調器を経由した光を前記ホログラフィック記録媒体に非平行光として入射させる集光レンズと、
前記ホログラフィック記録媒体からの出力光を検出する検出器と、
該検出器の出力信号を入力し、再生信号として復調する復調器と、
記録時に記録信号を前記空間光変調器に入力し、再生時に前記再生信号を前記空間光変調器に入力するように、前記空間光変調器の入力を切り換えるスイッチ
とを備え、再生時に前記記録層から得た再生信号を前記空間光変調器へ帰還する帰還ループを形成し、前記再生信号で前記空間光変調器を駆動して帰還再生用光束を生成し、該帰還再生用光束を用いて、前記記録層から前記再生信号を得ることを特徴とする記録再生装置。
【請求項２】
記録層と、該記録層の表面に一体に形成された回折格子とを備えるホログラフィック記録媒体に情報を記録し、前記ホログラフィック記録媒体から記録された情報を再生する記録再生方法であって、
前記回折格子に対し、記録信号で空間変調した記録用光束を入射し、該記録用光束により複数の次数の回折光を発生させ、該複数の次数の回折光により干渉縞を形成して、前記記録層に情報を記録する記録段階と、
前記記録層に情報を記録した後、前記記録用光束を空間変調した空間光変調器の入力を、前記ホログラフィック記録媒体からの出力光を検出する検出器に接続された復調器側に切り換え、前記記録層から得られた再生信号が前記空間光変調器へ帰還される帰還ループを形成し、
該復調器からの信号で前記空間光変調器を駆動し、前記空間光変調器により再生用光束を生成し、該再生用光束によって前記記録層から得た再生信号光束を前記検出器で検出し、
前記検出器の出力信号を前記復調器で復調して前記再生信号を得る再生段階
とを含むことを特徴とする記録再生方法。
【請求項３】
回折格子に記録用光束を入射して複数の次数の回折光を発生させ、該複数の次数の回折光により干渉縞を形成して、前記回折格子の裏面に前記回折格子と一体に形成された記録層に情報をホログラフィックに記録した後、記録された前記情報を再生信号として得る再生装置であって、
空間光変調器から出力した再生用光束によって前記記録層から前記情報を含む再生信号光束を生成する生成手段と、
該再生信号光束を検出器で検出する検出手段と、
前記検出器の出力信号を復調器で復調して前記情報を前記再生信号として得る再生手段と、
前記再生信号を前記空間光変調器に帰還して、前記再生用光束を空間変調する変調手段、
とを含むことを特徴とする再生装置。
【請求項４】
請求項３記載の再生装置であって、
前記復調器で復調された再生信号をエラー訂正するエラー訂正回路を更に備え、
該エラー訂正回路の出力信号が、再生時に前記空間光変調器へ帰還されることを特徴とする再生装置。
【請求項５】
回折格子に記録用光束を入射して複数の次数の回折光を発生させ、該複数の次数の回折光により干渉縞を形成して、前記回折格子の裏面に前記回折格子と一体に形成された記録層に情報をホログラフィックに記録した後、記録された前記情報を再生信号として得る再生方法であって、
空間光変調器から出力した再生用光束によって前記記録層から前記情報を含む再生信号光束を生成するステップと、
該再生信号光束を検出器で検出するステップと、
前記検出器の出力信号を復調器で復調して前記情報を前記再生信号として得るステップと、
前記再生信号を前記空間光変調器に帰還して、前記再生用光束を空間変調するステップ、
とを含むことを特徴とする再生方法。
【請求項６】
請求項５記載の記録再方法であって、
前記復調器で復調された再生信号をエラー訂正回路でエラー訂正し、このエラー訂正された出力信号が、前記空間光変調器へ帰還されるようにしたことを特徴とする再生方法。
【発明の詳細な説明】
【技術分野】
【０００１】
本発明は、ホログラフィー技術を利用した記録再生装置、これを用いた記録再生方法、更には再生装置及び再生方法に関する。
【背景技術】
【０００２】
ＣＤやＤＶＤに代表される現行の光記録では、１ビット毎に記録媒体に対して平面的に記録される。この方式による記録密度は、光の回折限界、つまり、光をどれだけ小さく絞れるかによって制限を受ける。これに対しホログラフィー技術を用いた光記録では、ある一定量の連続したデータをなす複数ビット（例えば、数万〜数メガビット）単位を一枚のページデータと定義し、このページデータを深さ方向に（立体的に）体積ホログラムとして記録可能である。しかもそれぞれのページデータは、同一深さの２次元空間（平面）で重なり合いながら存在が可能なため、２次元空間での多重記録をしつつ、３次元空間での多重記録も可能である。ページデータの記録マークの径は５００μｍ程度で、ＤＶＤの約０．４μｍよりはるかに大きく、大幅な容量アップにならない。だがホログラム記録の場合、２次元空間での多重記録により、記録マークを他の記録マークと少し重ねてもそれほど影響を受けない。このため、ホログラムを使用した光記録では、従来の１ビット毎の記録方式に対して、飛躍的に高密度、大容量な記録が可能である。又、従来方式では、一度に１ビットしかデータ転送ができないのに対し、ホログラム方式では、一度に複数ビットからなる１ページ分のデータを読み書きできるため、データ転送速度も大幅に向上する。このため、ホログラムを使用した光記録技術は各所で実用化に向けた研究開発が精力的に行われている。
【０００３】
ホログラフィック記録では、ページデータを有する信号光と、同じ波長を有する参照光とをホログラフィック記録媒体に照射し、両光から形成される干渉縞が信号情報としてホログラフィック記録媒体に記録される。干渉縞を記録情報とするため、記録中は信号光、参照光、ホログラフィック記録媒体の位置関係が、振動などの原因によって光の波長のオーダーでずれることは許されず、この困難さがホログラフィック光記録の実用化を阻害する大きな要因の１つになっていた。
【０００４】
振動に対する弱さを克服することを目的として、信号光Φsと参照光Φrを同軸（コリニア）に配置することによって、振動に対して位置関係がずれないように工夫した方式が提案されている（特許文献１参照。）。特許文献１に記載された発明では、図９に示すように、光源２１としての半導体レーザ２１から発生した光は、凸レンズＬ１を通って平行光となり、偏光ビームスプリッタＰＢＳ１によって２方向に分けられる。この内、一方の光は空間光変調器（ＳＬＭ）２３を通る。このとき空間光変調器（ＳＬＭ）２３には、記録されるべき１ページ分のディジタル情報が電気信号として入力されており、空間光変調器（ＳＬＭ）２３を通過した光は、入力信号に応じた２次元の明暗パターンからなる信号光Φsとして変換される。そしてミラーＭ１で反射された後、偏光ビームスプリッタＰＢＳ２を通過する。
【０００５】
一方、偏光ビームスプリッタＰＢＳ１によって分けられた他方の光は、参照光Φrとして作用させるもので、ミラーＭ２で反射されて凸レンズＬ２を通過した後、偏光ビームスプリッタＰＢＳ２で反射され、信号光Φsと合成される。凸レンズＬ２は信号光Φsと参照光Φrの焦点位置を光の進行方向に対してずらす目的で挿入する。このとき、合成された信号光Φsと参照光Φrとは、偏光ビームスプリッタＰＢＳの作用によって偏光面が９０°ずれているので互いに干渉しあうことはない。合成された光は、旋光板Ｇ及び凸レンズＬ３を通過してホログラフィック記録媒体７６に達し、ホログラフィック記録媒体７６の背面に設けられた反射層で反射する。このとき旋光板Ｇは、例えば上半分と下半分に分割されていて、上半分を通過した光は右４５°、下半分を通過した光は左４５°に偏光面が回転するようになっている。こうすることによってホログラフィック記録媒体７６の内部では、入射した参照光Φrと、ホログラフィック記録媒体７６の背面で反射した信号光Φsとが選択的に干渉を起こし、ホログラフィック記録がなされるようになっている。
【０００６】
次に、特許文献１に記載された発明において、ホログラフィック記録媒体７６に記録した信号を再生する方法について説明する。再生するには、記録したときに用いた参照光Φrのみを記録したときと同じ条件でホログラフィック記録媒体７６に照射する。ホログラフィック記録媒体７６には記録信号に応じた干渉縞が記録されているので、参照光Φrを照射することによって記録光と同じ回折光が得られる。これを、記録するときと同様の方法で旋光板Ｇを作用させ、参照光Φrと得られた回折光とが干渉しあわないように干渉光を検出器に導く。検出器は図９には示していないが、ＣＣＤアレイや撮像素子などを用い、電気信号に変換することで、記録信号と同じ信号が再現される。
【０００７】
ところで、ディジタルホログラフィック記録においては、「１」と「０」からなるページデータは、空間光変調器（ＳＬＭ）２３などによって、「１」と「０」に応じて光の通る部分と通らない部分とからなる信号光Φsとして変換され、ホログラフィック記録媒体７６に照射される。一方、参照光Φrの方は、信号に応じた分布を持たない均一な光としてホログラフィック記録媒体７６に照射される。このときホログラフィック記録媒体７６内には、信号光Φsの光の通った部分のみに干渉縞が形成され、それ以外の部分には参照光Φrのみが照射され、参照光Φrによってホログラフィック記録媒体７６が感光してしまう危険性があり、再生時におけるＳ／Ｎを劣化させる原因になる。これを防ぐためには、参照光Φrだけでは感光しないような媒体特性及び記録再生光学系が要求され、システム設計におけるマージンが小さくなる。
【０００８】
又従来のディジタルホログラフィック記録においては、同一光源から出射した光を、ビームスプリッタやミラーなどの光学部品を配置して信号光Φs用と参照光Φr用とに分離する必要がある。このため、記録のための有効な光量の損失が大きい。又このような多数の光学部品を導入することは、記録再生光学系を複雑化、大型化することにつながる。
【０００９】
このような問題点を考慮し、図１０に示すのような構成のホログラフィック記録方法及び記録装置が提案されている（特許文献２参照。）。特許文献２に記載されたホログラフィック記録装置は、図１０に示すように光源２１と、 光源２１から出射されるレーザ光Φを記録信号で変調する空間光変調器２３と、空間光変調器２３により変調された光Φから、複数の次数の回折光を発生させる回折格子７７と、回折格子７７から分離して設けられ、回折格子７７から出力される回折光を記録するホログラフィック記録媒体７６とを備えている。図示を省略しているが、ホログラフィック記録媒体７６は、保持手段により保持される。
【００１０】
回折格子７７は光Φが入力されると、異なる次数の複数の回折光を発生させるもので、周期的にスリットが設けられた振幅型と、透明材料を鋸歯状に加工した位相型（ブレーズ型）とがあるが、回折格子７７はホログラフィック記録媒体７６に接触させるか、若しくは所定の距離を保った状態とされる。特許文献２に記載された発明では、所定の距離を保たせる１つの手段としては、気体流によって一定浮上量で浮上する透明性の浮上ブロック（図示省略）に回折格子７７を設ける方法が提案されている。特許文献２に記載された発明では、記録した信号を再生する場合、ホログラフィック記録媒体７６と再生光のビームとの相対位置を、記録したときと同じ位置に移動させ、光源２１から発射された散乱光Φを、記録したときと同じ条件でホログラフィック記録媒体７６に照射させる。但しこのとき、記録過程で使用した空間光変調器２３、回折格子７７は使用せず、挿入しない。ホログラフィック記録媒体７６には既に、記録光に応じた干渉縞が形成されているので、ホログラフィック記録媒体７６を通過した光は、干渉縞が形成された部分でのみ回折光が発生する。即ち、ここで得られた回折光は、記録過程における記録光と同じパターンとして再生された光である。これをＣＣＤやＣ−ＭＯＳセンサといったイメージセンサで検出することによって、記録信号と同じ電気信号として再生することができる。
【特許文献１】特開平１１−３１１９３８号公報
【特許文献２】特開２００５−１２８４７３号公報
【発明の開示】
【発明が解決しようとする課題】
【００１１】
特許文献２に記載されたホログラフィック記録方法及び記録装置では、ホログラフィック記録媒体に一度記録したページデータを再生するときに、記録過程で使用した空間光変調器２３、回折格子７７を移動させ、異なる光学系としているため、記録時と再生時の光学系の条件を一致させることは困難であり、記録用光束と再生用光束との相関の低下による再生画像の劣化、ブラッグ条件の不整合成分によるノイズの発生などにより、再生信号のエラーレイトが増大するという問題点がある。
【００１２】
上記問題点を鑑み、本発明は、ホログラフィック記録及びホログラフィック再生において、記録用光束と再生用光束との相関を高め、ホログラフィック再生画像の劣化を防ぐことができ、再生信号のエラーレイトを低減させることができる記録再生装置、これを用いた記録再生方法、更には再生装置及び再生方法を提供することを目的とする。
【課題を解決するための手段】
【００１３】
上記目的を達成するために、本発明の第１の態様は、記録層と、この記録層の表面に一体に形成された回折格子とを備え、この回折格子により発生した複数の次数の回折光により干渉縞を形成して、記録層に情報を記録するホログラフィック記録媒体を用いる記録再生装置に関する。即ち、本発明の第１の態様に係る記録再生装置は、（イ）光源と、（ロ）この光源から出射される光を空間変調可能な空間光変調器と、（ハ）この空間光変調器を経由した光をホログラフィック記録媒体に非平行光として入射させる集光レンズと、（ニ）ホログラフィック記録媒体からの出力光を検出する検出器と、（ホ）この検出器の出力信号を入力し、再生信号として復調する復調器と、（ヘ）記録時に記録信号を空間光変調器に入力し、再生時に、再生信号を空間光変調器に入力するように、空間光変調器の入力を切り換えるスイッチとを備えることを要旨とする。そして、この第１の態様に係る記録再生装置においては、再生時には、記録層から得た再生信号を空間光変調器へ帰還する帰還ループを形成し、再生信号で空間光変調器を駆動して帰還再生用光束を生成し、この帰還再生用光束を用いて、記録層から再生信号を得ることを特徴とする。
【００１４】
本発明の第２の態様は、記録層と、この記録層の表面に一体に形成された回折格子とを備えるホログラフィック記録媒体に情報を記録し、ホログラフィック記録媒体から記録された情報を再生する記録再生方法に関する。即ち、本発明の第２の態様に係る記録再生方法は、（イ）回折格子に対し、記録信号で空間変調した記録用光束を入射し、この記録用光束により複数の次数の回折光を発生させ、この複数の次数の回折光により干渉縞を形成して、記録層に情報を記録する記録段階と、（ロ）記録層に情報を記録した後、記録用光束を空間変調した空間光変調器の入力を、ホログラフィック記録媒体からの出力光を検出する検出器に接続された復調器側に切り換え、記録層から得られた再生信号が空間光変調器へ帰還される帰還ループを形成し、この復調器からの信号で空間光変調器を駆動し、空間光変調器により再生用光束を生成し、この再生用光束によって記録層から得た再生信号光束を検出器で検出し、検出器の出力信号を復調器で復調して再生信号を得る再生段階とを含むことを要旨とする。
【００１５】
本発明の第３の態様は回折格子に記録用光束を入射して複数の次数の回折光を発生させ、この複数の次数の回折光により干渉縞を形成して、回折格子の裏面に回折格子と一体に形成された記録層に情報をホログラフィックに記録した後、記録された情報を再生信号として得る再生装置に関する。即ち、本発明の第３の態様に係る再生装置は、（イ）空間光変調器から出力した再生用光束によって記録層から情報を含む再生信号光束を生成する生成手段と、（ロ）この再生信号光束を検出器で検出する検出手段と、（ハ）検出器の出力信号を復調器で復調して情報を再生信号として得る再生手段と、（ニ）再生信号を空間光変調器に帰還して、再生用光束を空間変調する変調手段とを含むことを要旨とする。
【００１６】
本発明の第４の態様は、回折格子に記録用光束を入射して複数の次数の回折光を発生させ、この複数の次数の回折光により干渉縞を形成して、回折格子の裏面に回折格子と一体に形成された記録層に情報をホログラフィックに記録した後、記録された情報を再生信号として得る再生方法に関する。即ち、本発明の第４の態様に係る再生方法は、（イ）空間光変調器から出力した再生用光束によって記録層から情報を含む再生信号光束を生成するステップと、（ロ）この再生信号光束を検出器で検出するステップと、（ハ）検出器の出力信号を復調器で復調して情報を再生信号として得るステップと、（ニ）再生信号を空間光変調器に帰還して、再生用光束を空間変調するステップとを含むことを要旨とする。
【発明の効果】
【００１７】
本発明によれば、ホログラフィック再生において、干渉縞記録時の記録用光束に近似した参照光を空間光変調器を用いたまま、且つホログラフィック記録媒体と一体に成型された回折格子から得られるため、記録用光束と再生用光束との相関を高め、ホログラフィック再生画像の劣化を防ぐことができ、再生信号のエラーレイトを低減させることができる記録再生装置、これを用いた記録再生方法、更には再生装置及び再生方法を提供することができる。
【発明を実施するための最良の形態】
【００１８】
次に、図面を参照して、本発明の第１〜第３の実施の形態を説明する。以下の図面の記載において、同一又は類似の部分には同一又は類似の符号を付している。但し、図面は模式的なものであり、厚みと平面寸法との関係、各層の厚みの比率等は現実のものとは異なることに留意すべきである。したがって、具体的な厚みや寸法は以下の説明を参酌して判断すべきものである。又、図面相互間においても互いの寸法の関係や比率が異なる部分が含まれていることは勿論である。又、以下に示す第１〜第３の実施の形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された技術的範囲内において、種々の変更を加えることができる。
【００１９】
（第１の実施の形態：透過型ホログラフィック記録・再生）
具体的なシステム構成の概略は、第２の実施の形態においてまとめて説明する。その前に、本発明の第１の実施の形態においては、記録再生装置の基本構成を説明する。
【００２０】
図１に示すように、第１の実施の形態に係る記録再生装置は、光源２１、コリメートレンズ２２、空間光変調器２３、集光レンズ２４、ホログラフィック記録媒体７０、コリメートレンズ２８、検出器２９を備えている。光源２１は、情報を記録するための記録用光束及び記録された情報を読み出すための光を出射する。光源２１としては、特定の波長の光を発生させることのできるレーザ光源であることが好ましい。レーザの種類としては半導体レーザ、ガスレーザ、若しくはＹＡＧレーザやＴｉサファイア・レーザに代表されるパルス発振レーザを用いることもできるが、装置の小型化の観点から、半導体レーザを用いるのが望ましい。
【００２１】
光源２１、コリメートレンズ２２、空間光変調器２３、集光レンズ２４、コリメートレンズ２８、検出器２９とで、ホログラフィック記録媒体７０に対して記録用光束を照射して情報を記録し、ホログラフィック記録媒体７０に対して再生用光束を照射し、ホログラフィック記録媒体７０に記録されている情報を再生するためのピックアップを構成している。
【００２２】
ホログラフィック記録媒体７０は、図４及び図５に拡大断面図を模式的に示すように、記録用光束によって複数の次数の回折光を発生し、複数の次数の回折光により干渉縞を生成する回折格子７１と、その干渉縞を記録する記録層７２と、回折格子７１の表面に回折格子７１を保護するように形成されたカバー層７３とを有している。ホログラフィック記録媒体７０への回折格子７１の形成法としては、例えば、プラスチックインジェクション（射出成形）による方法、プレスによる方法、切削工具による方法などがある。回折格子７１は光が入力されると、異なる次数の複数の回折光を発生させるもので、大別して周期的にスリットが設けられた振幅型と、透明材料を鋸歯状に加工した位相型（ブレーズ型）とがある。第１の実施の形態に係る記録再生装置にはどちらも使用可能である。但し、振幅型の回折格子７１を用いると、所望の回折光以外の回折光が同時に発生して迷光ノイズの原因となる。これに対して、ブレーズ型の回折格子７１を用いると、０次回折光と＋１次回折光とを効率良く取り出せるので、第１の実施の形態に係る記録再生装置には特に有効である。これらの回折格子７１は通常同心円状であるが、図２に示すように、光ディスクの信号或いは、サーボ用溝のように螺旋状に形成されていても、第１の実施の形態に係る記録再生装置にはどちらも使用可能である。
【００２３】
第１の実施の形態に係るホログラフィック記録媒体７０中の記録層７２は、同一波長の光を２方向から照射して干渉させると、干渉縞として記録されうる材料が少なくとも設けられたものである。具体的な材料として、フォトポリマー系、フォトリフラクティブ結晶系、カルコゲナイトガラス系などの材料がある。干渉縞の種類として、明暗の分布からなる振幅変型、屈折率の変化からなる位相変調型がある。
【００２４】
ブレーズ型回折格子７１を用いた例として、ホログラフィック記録における記録部の詳細を図４に示す。記録層７２への干渉縞の形成は、記録用光束の「明」の部分にのみ、回折格子７１を通って得られる０次回折光と＋１次回折光との間で得られる。
【００２５】
ピックアップを構成するコリメートレンズ２２は、光源２１からの発散光線をほぼ平行光線とするものである。ピックアップに内蔵された空間光変調器（ＳＬＭ）２３は、電気信号として入力された記録信号で光を変調するために用いる。空間光変調器２３に記録されるべき１ページ分のディジタル情報が電気信号として入力されると、空間光変調器２３を通過（又は反射）した光は、入力信号に応じた２次元の明暗パターンからなる記録用光束として変換される。尚、空間光変調器２３は大別して液晶素子などを用いた透過型と、マイクロミラーなどを用いた反射型（ＤＭＤ）とがあるが、第１の実施の形態に係る記録再生装置にはどちらも使用可能である。
【００２６】
集光レンズ２４は、空間光変調器２３で変換された記録用光束を記録層７２の近傍に結像させることにより、記録層７２の記録密度を向上させる。集光レンズ２４は、記録用光束が記録層７２の表面を切る断面上で所望の記録マーク径（例えば５００μｍ程度の直径）になるように集光させる機能を有するものであればよく、凸レンズ、フレネルレンズ、ホログラムレンズ、或いは反射型の凹面鏡などを用いることができる。
【００２７】
集光レンズ２４は又、多重記録を行う場合にも重要な役割を果たす。つまり集光レンズ２４を用いることによって図３に示すように、光束の形状を記録層を切る断面で５００μｍ程度の直径となる円錐形状に分散させることにより、ホログラフィック記録媒体７０の記録層７２の位置での記録用光束が非平行光となり、同一深さの２次元空間（平面）における記録の多重化が可能となる。これが平行光であると多重記録が行えない。つまり、あるページデータを記録した後、スポット径（記録マーク径）以下の範囲で媒体位置をずらせて次のページデータを記録する場合、平行光の場合は、前ページと重なり合った部分が同じ干渉条件となってしまい、再生時にページの分離ができなくなる。これが図３に示すように、集光レンズ２４により円錐形状に分散する非平行光にされていると、重なり合った部分の干渉条件が異なるため、それぞれ個別の干渉縞が形成され、再生時に分離が可能になる。
【００２８】
透過型ホログラフィック記録・再生に係る第１の実施の形態に係る記録再生装置においては、ホログラフィック記録媒体７０の記録層７２側に、コリメートレンズ２８及び検出器２９が配置されている。コリメートレンズ２８は、ホログラフィック記録媒体７０のカバー層７３側に配置された集光レンズ２４によって、絞られた光線を、ホログラフィック記録媒体７０の記録層７２側に配置された検出器２９の開口にあわせるために、ほぼ平行光線とする。検出器２９は、再生するための必要な要素、例えばＣＣＤアレイやＣ−ＭＯＳセンサ等のイメージセンサで構成すればよい。
【００２９】
図１に示すように、第１の実施の形態に係る記録再生装置は、更に、１ページ分の記録信号のページデータを一時保存する記録信号記憶装置（バッファメモリ）３１と、検出器２９で得た再生信号を入力し、再生信号を復調する復調器３３と、復調器３３で復調された再生信号を入力し、エラー訂正するエラー訂正回路３２と、記録時と再生時の空間光変調器２３への入力を切り換えるスイッチＳ１を備える。スイッチＳ１は、記録時には記録信号記憶装置（バッファメモリ）３１に接続し、再生時には、エラー訂正回路３２に接続するように電気的接続を切り換える。即ち、記録時には空間光変調器２３へ記録信号が入力され、再生時には、エラー訂正回路３２からエラー訂正された再生信号が、空間光変調器２３へ入力される。このように、再生時には、検出器２９で得た再生信号が復調器３３で復調され、復調器３３で復調された再生信号がエラー訂正回路３２でエラー訂正され、空間光変調器２３へ入力されることにより、再生用光束に検出器２９で得られた再生信号が帰還（フィードバック）される。
【００３０】
この結果、再生時には、再生用光束は、検出器２９で得た再生信号により、明るい部分と暗い部分とが分布した（例えば明るい部分が「１」、暗い部分が「０」）光束となり、この帰還再生用光束を用いて、ホログラフィック記録媒体７０の記録層７２で得られた情報（再生信号）が、再び、検出器２９、復調器３３及びエラー訂正回路３２を経由して、空間光変調器２３へ入力される帰還（フィードバック）ループが形成される。この帰還ループの形成により、再生時の帰還再生用光束は、記録時の記録用光束とほぼ同等で、記録信号に応じて明るい部分と暗い部分が分布した光束となるため、記録用光束と再生用光束との相関が高められ、再生像の劣化が防止され、ブラッグ条件の不整合成分によるノイズ等が改善される。最終的には、帰還ループにより再生された再生信号は、エラー訂正回路３２からエラー訂正された再生信号として出力される。
【００３１】
以上が第１の実施の形態に係る記録再生装置を構成するための必要最小限のパーツであるが、装置内の光路を調整する目的で適宜、レンズ、ミラー類を、又、光をオン、オフする目的でシャッタを挿入してもよい。尚、光源２１に半導体レーザを用いる場合は、半導体レーザの電源回路により、光のオン、オフが可能であるので、シャッタの挿入は必須ではない。
【００３２】
＜記録方法＞
次に、第１の実施の形態に係る記録再生装置を用いてホログラフィック記録媒体７０に記録する手順の例を、図３、図４に基づいて説明する。
【００３３】
（イ）ステップ１：ホログラフィック記録媒体７０と記録用光束（ビーム）との相対位置を記録すべき所定の位置に移動する。移動する手段は、ホログラフィック記録媒体７０をＸＹステージ上に装着して所定の（ｘ、ｙ）座標に移動させる方法や、ホログラフィック記録媒体７０をモータと同軸の回転部分に装着して回転させる方法や、記録用光束（ビーム）をホログラフィック記録媒体７０の所定の場所に移動させる方法、及びこれらを組み合わせて移動させる方法を用いる。
【００３４】
（ロ）ステップ２：空間光変調器２３に、記録信号記憶装置３１から記録すべき１ページ分の電気信号を入力する。尚、ステップ１とステップ２は同時、或いは順序が逆であっても構わない。
【００３５】
（ハ）ステップ３：光源２１から出射した散乱光をコリメートレンズ２２に入射させてコリメートし、ほぼ平行光になった記録用光束Φ1を空間光変調器２３に入射させる。そして、空間光変調器２３で２次元空間において空間変調された記録用光束Φ1を、集光レンズ２４、ホログラフィック記録媒体７０と一体に形成された回折格子７１を通して、記録層７２に照射させる。照射させる時間は、ホログラフィック記録媒体７０の感度、ダイナミックレンジ、記録光のパワー、記録の多重度を考慮して定める。この照射時間の制御は、光をオン、オフするシャッタを用いてもよく、光源２１に半導体レーザを用いる場合は、半導体レーザの電源回路により、照射時間の制御が可能である。記録時のステップ３によって、空間光変調器２３からの出力光は、記録信号に応じて明るい部分と暗い部分とが分布した（例えば明るい部分が「１」、暗い部分が「０」）記録用光束Φ1に変換されて集光レンズ２４、ホログラフィック記録媒体７０と一体に形成された回折格子７１を通して、記録層７２に達する。記録層７２の内部には、図４の記録ステップに示すように、「１」の部分のみ、２つの異なる次数（例えば０次と＋１次）の回折光よる干渉光が照射され、干渉縞として記録層７２に記録される。
【００３６】
以上、ステップ１からステップ３を繰り返して、記録層７２に記録していく。このとき集光レンズ２４の作用によってホログラフィック記録媒体７０の位置での記録用光束Φ1が非平行光であれば、ステップ１において次の記録位置に移動する場合、記録スポットをオーバーラップさせることが可能である。これによって多重記録が可能となる。
【００３７】
＜再生方法＞
次に、上記の手順で記録した信号を再生する手順の例を図５を用いて説明する。
【００３８】
（イ）ステップ１：ホログラフィック記録媒体７０と記録用光束（ビーム）との相対位置を、記録したときと同じ位置に移動する。移動する手段は、ホログラフィック記録媒体７０をＸＹステージ上に装着し、所定の（ｘ、ｙ）座標に移動させる方法や、再生用光束（ビーム）をホログラフィック記録媒体７０の所定の場所に移動させる方法、及びこれらを組み合わせて移動させる方法を用いる。
【００３９】
（ロ）ステップ２：図５に示すように、光源２１から出射した散乱光を、記録したときと同じ条件でホログラフィック記録媒体７０に照射させる。但しこのとき、空間光変調器２３からの出力光は、記録過程と同様に記録信号に応じて明るい部分と暗い部分とが分布した（例えば明るい部分が「１」、暗い部分が「０」）記録用光束Φ1ではなく、全ての画素が明るい再生用光束Φ2である。このとき、照射させる光のパワーは、再生に都合がよい値を選ぶことができる。図５の再生過程に示す通り、ホログラフィック記録媒体７０の記録層７２には、既に、記録用光束Φ1に応じた干渉縞が形成されているので、再生時のステップ２によって記録層７２を通過した光は、干渉縞が形成された部分でのみ回折光が発生する。記録時の参照光は、記録信号に応じて明るい部分と暗い部分が分布した記録用光束Φ1から回折格子７１で回折された回折光であった。しかしながら、再生時のステップ２において、得られる再生信号光束Φ3は、全ての画素が明るい再生用光束Φ2から回折格子７１で回折された光であり、記録用光束Φ1と再生用光束Φ2との相関の低下による再生像の劣化、ブラッグ条件の不整合成分によるノイズなどを含んでいる。
【００４０】
（ハ）ステップ３：ステップ２で得た再生信号光束Φ3を図１に示す検出器２９へ取り込む。
【００４１】
（ニ）ステップ４：ステップ３で検出器２９で得た再生信号を図１に示す復調器３３へ入力する。
【００４２】
（ホ）ステップ５：ステップ４で復調器３３へ入力された再生信号を復調する。
【００４３】
（ヘ）ステップ６：復調器３３で復調された再生信号をエラー訂正回路３２へ入力する。
【００４４】
ステップ７：エラー訂正回路３２から出力されたエラー訂正済み再生信号を空間光変調器（ＳＬＭ）２３へ帰還する。
【００４５】
（ト）ステップ８：光源２１からの出射され、コリメートレンズ２２でほぼ平行光となった光を空間光変調器２３に入射させ、帰還されたエラー訂正済み再生信号によって、変調する。このとき、空間光変調器２３からの出力光は、記録過程における記録用光束Φ1のように記録信号に応じて明るい部分と暗い部分とが分布した（例えば明るい部分が「１」、暗い部分が「０」）記録用光束とほぼ同等になっている。
【００４６】
（チ）ステップ９：再生時のステップ９によって記録層７２を通過した光は、干渉縞が形成された部分でのみ回折光が発生する。再生時のステップ９においての再生された光は、記録時の記録用光束Φ1とほぼ同等で、記録信号に応じて明るい部分と暗い部分が分布した光束から回折格子７１で回折された光である。記録用光束Φ1と再生用光束Φ2との相関の低下にる再生像の劣化、ブラッグ条件の不整合成分によるノイズなどが改善されている。
【００４７】
ステップ９までで再生過程を終了させ、最終的に、エラー訂正回路３２からエラー訂正された再生信号として出力される。但し、エラーレイトが所望の水準以下に入らない場合は、ステップ９が終了した後、得られた再生信号を空間光変調器２３に更に帰還し、ステップ２〜ステップ９のような過程を、帰還ループを用いて、数回繰り返して、その後、エラー訂正回路３２からエラー訂正された再生信号として出力されるようにしてもよい。
【００４８】
以上、所望のエラーレイト以下の再生信号が得られたら、ステップ１からステップ９までを繰り返し記録された信号を順次再生していく。
【００４９】
（第２の実施の形態：反射型ホログラフィック記録・再生）
第１の実施の形態とは異なり、本発明の第２の実施の形態に係る記録再生装置においては、記録層７２の奥に反射層７４があるホログラフィック記録媒体７０を用いた反射型ホログラフィック記録・再生について説明する。
【００５０】
図６に示すように、第２の実施の形態に係る記録再生装置は、ホログラフィック記録媒体７０が取り付けられる回転軸（スピンドル）５２と、この回転軸５２を回転させるスピンドルモータ５１と、ホログラフィック記録媒体７０の回転数を所定の値に保つようにスピンドルモータ５１を制御する回転制御系（スピンドルサーボ回路）４８とを備えている。
【００５１】
ホログラフィック記録媒体７０は、図６に示すように、記録用光束によって複数の次数の回折光を発生し、複数の次数の回折光により干渉縞を生成する回折格子７１と、記録用光束によって形成された干渉縞を記録する記録層７２と、記録用光束、再生用光束及びこれらによる回折光をそれぞれ反射する反射層７４と、回折格子７１の表面に回折格子７１を保護するように形成されたカバー層７３とを有している。
【００５２】
ホログラフィック記録媒体７０は、図２に示すように、中央にクランプ穴７５を有し、このクランプ穴７５に図６に示した回転軸５２が挿入され、スピンドルモータ５１によって回転させられる。
【００５３】
第２の実施の形態に係る記録再生装置は、更に、ホログラフィック記録媒体７０に対して記録用光束を照射して情報を記録し、ホログラフィック記録媒体７０に対して再生用光束を照射し、ホログラフィック記録媒体７０に記録されている情報を再生するためのピックアップ５３と、このピックアップ５３をホログラフィック記録媒体７０の半径方向に移動可能とする駆動装置（粗動モータ制御系）４７とを備えている。ピックアップ５３の構成は、第１の実施の形態に係る記録再生装置とほぼ同様であるが、図７に示すように、記録及び再生用の光を出射する光源２１、コリメートレンズ２２、空間光変調器２３、集光レンズ２４、コリメートレンズ２５、検出器２６を備えている。但し、反射型ホログラフィック記録・再生に係る第２の実施の形態に係る記録再生装置では、ホログラフィック記録媒体７０のカバー層７３側に、コリメートレンズ２５、検出器２６を備えている点で、透過型ホログラフィック記録・再生に係る第１の実施の形態に係る記録再生装置が、ホログラフィック記録媒体７０の記録層７２側に、コリメートレンズ２８及び検出器２９が配置された構成とは異なる。
【００５４】
図６に示すように、第２の実施の形態に係る記録再生装置は、更に、空間光変調器２３へ信号を送信し、検出器２６で得た再生信号を入力する信号処理回路４１と、映像信号入力回路４４から映像信号をＡ／Ｄ変換し、信号処理回路４１に送信するＡ／Ｄ変換回路４５と、信号処理回路４１からの出力信号をＤ／Ａ変換し、表示装置４３に送信するＤ／Ａ変換回路４２とを備える。信号処理回路４１は、図７に示すように、１ページ分の記録信号のページデータを一時保存する記録信号記憶装置３１と、検出器２６で得た再生信号を入力し、再生信号を復調する復調器３３と、復調器３３で復調された再生信号を入力し、エラー訂正するエラー訂正回路３２と、記録時と再生時の空間光変調器２３への入力を切り換えるスイッチＳ１とを備える。Ａ／Ｄ変換回路４５の出力信号は、１ページ毎に、記録信号記憶装置３１に一時保存され、空間光変調器２３に供給される。
【００５５】
スイッチＳ１は、記録時には記録信号記憶装置３１に接続し、再生時には、エラー訂正回路３２に接続するように電気的接続を切り換える。即ち、記録時には空間光変調器２３へ記録信号が入力され、再生時には、エラー訂正回路３２からエラー訂正された再生信号が、空間光変調器２３へ入力される。このように、再生時には、検出器２９で得た再生信号が復調器３３で復調され、復調器３３で復調された再生信号がエラー訂正回路３２でエラー訂正され、空間光変調器２３へ入力されることにより、再生用光束に検出器２９で得られた再生信号が帰還（フィードバック）される。
【００５６】
この結果、再生時には、再生用光束は、検出器２９で得た再生信号により、明るい部分と暗い部分とが分布した光束となり、この帰還再生用光束を用いて、ホログラフィック記録媒体７０の記録層７２で得られた情報（再生信号）が、再び、検出器２９、復調器３３及びエラー訂正回路３２を経由して、空間光変調器２３へ入力される帰還ループが形成される。この帰還ループの形成により、再生時の帰還再生用光束は、記録時の記録用光束とほぼ同等で、記録信号に応じて明るい部分と暗い部分が分布した光束となるため、記録用光束と再生用光束との相関が高められ、再生像の劣化が防止され、ブラッグ条件の不整合成分によるノイズ等が改善される。最終的には、帰還ループにより再生された再生信号は、エラー訂正回路３２からエラー訂正された再生信号として出力され、Ｄ／Ａ変換回路４２に入力される。
【００５７】
尚、図示を省略しているが、信号処理回路４１には、ピックアップ５３の出力信号よりフォーカスエラー信号ＦＥ，トラッキングエラー信号ＴＥ及び再生信号ＲＦを検出するための検出・増幅回路、この検出・増幅回路によって検出されるフォーカスエラー信号ＦＥに基づいて、ピックアップ５３内のアクチュエータを駆動して集光レンズ２４，コリメートレンズ２５をホログラフィック記録媒体７０の厚み方向に移動させてフォーカスサーボを行うフォーカスサーボ回路、検出・増幅回路によって検出されるトラッキングエラー信号ＴＥに基づいてピックアップ５３内のアクチュエータを駆動して集光レンズ２４，コリメートレンズ２５をホログラフィック記録媒体７０の半径方向に移動させてトラッキングサーボを行うトラッキングサーボ回路、或いは、トラッキングエラー信号ＴＥ及び後述するコントローラからの指令に基づいて駆動装置（粗動モータ制御系）４７を制御してピックアップ５３をホログラフィック記録媒体７０の半径方向に移動させるスライドサーボを行うスライドサーボ回路等が含まれている。信号処理回路４１には、ピックアップ５３内の検出器２６の出力データをデコードして、ホログラフィック記録媒体７０の記録層７２に記録されたデータを再生し、検出・増幅回路からの再生信号ＲＦより基本クロックを再生し、アドレスを判別する信号処理プロセッサが含まれているのは勿論である。
【００５８】
図６に示すように、第２の実施の形態に係る記録再生装置は、更に、記録再生装置の全体を制御するシステムコントローラ４６と、このシステムコントローラ４６に対して種々の指示を与える操作部（図示省略）とを備えている。システムコントローラ４６は、信号処理回路４１の信号処理プロセッサより出力される基本クロックやアドレス情報を入力すると共に、ピックアップ５３、回転制御系４８及びスライドサーボ回路等を制御するようになっている。回転制御系４８は、信号処理回路４１の信号処理プロセッサより出力される基本クロックを入力するようになっている。
【００５９】
システムコントローラ４６は、ＣＰＵ（中央処理装置）、ＲＯＭ（リード・オンリ・メモリ）及びＲＡＭ（ランダム・アクセス・メモリ）を有し、ＣＰＵが、ＲＡＭを作業領域として、ＲＯＭに格納されたプログラムを実行することによって、システムコントローラ４６の機能を実現するようになっている。
【００６０】
上述したように、図７に示す反射型ホログラフィック記録・再生に係る第２の実施の形態に係る記録再生装置のピックアップ５３では、ホログラフィック記録媒体７０のカバー層７３側に、コリメートレンズ２５、検出器２６を備えている点で、透過型ホログラフィック記録・再生に係る第１の実施の形態に係る記録再生装置が、ホログラフィック記録媒体７０の記録層７２側に、コリメートレンズ２８及び検出器２９が配置された構成とは異なるが、他は、第１の実施の形態に係る記録再生装置のピックアップと実質的に同様であるので、重複した説明を省略する。
【００６１】
尚、第１の実施の形態の冒頭で説明したように、第１の実施の形態においては、図６のようなシステム構成の説明を省略したが、ホログラフィック記録媒体７０を取り付ける回転軸５２、この回転軸５２を回転させるスピンドルモータ５１、ホログラフィック記録媒体７０の回転数を所定の値に保つようにスピンドルモータ５１を制御する回転制御系４８、ピックアップ５３をホログラフィック記録媒体７０の半径方向に移動可能とする粗動モータ制御系４７、信号処理回路４１、Ａ／Ｄ変換回路４５、Ｄ／Ａ変換回路４２及びシステムコントローラ４６等の構成は、第１の実施の形態に係る記録再生装置においても同様であることは容易に理解できるであろう。
【００６２】
第２の実施の形態に係る記録再生装置を用いてホログラフィック記録媒体７０に記録する手順は、第１の実施の形態において、図３及び図４を用いて説明した通りであるから、重複した説明を省略する。第２の実施の形態に係る記録再生装置における記録信号を再生する手順も、一部を除けば、図５を用いて説明した第１の実施の形態の再生手順と基本的に同様である。即ち：
（イ）ステップ１：ホログラフィック記録媒体７０と記録用光束（ビーム）との相対位置を、記録したときと同じ位置に移動する。
【００６３】
（ロ）ステップ２：図５に示すように、光源２１から出射した散乱光を、記録したときと同じ条件でホログラフィック記録媒体７０に照射させる。但しこのとき、空間光変調器２３からの出力光は、記録過程と同様に記録信号に応じて明るい部分と暗い部分とが分布した（例えば明るい部分が「１」、暗い部分が「０」）記録用光束Φ1ではなく、全ての画素が明るい再生用光束Φ2である。このとき、照射させる光のパワーは、再生に都合がよい値を選ぶことができる。図５の再生過程に示す通り、ホログラフィック記録媒体７０の記録層７２には、既に、記録用光束Φ1に応じた干渉縞が形成されているので、再生時のステップ２によって記録層７２を通過した光は、干渉縞が形成された部分でのみ回折光が発生する。
【００６４】
（ハ）ステップ３：ステップ２で得た再生信号光束Φ3を、図７に示すようにコリメートレンズ２５を介して、検出器２６へ取り込む。
【００６５】
（ニ）ステップ４：ステップ３で検出器２６で得た再生信号を図７に示す復調器３３へ入力する。
【００６６】
（ホ）ステップ５：ステップ４で復調器３３へ入力された再生信号を復調する。
【００６７】
（ヘ）ステップ６：復調器３３で復調された再生信号をエラー訂正回路３２へ入力する。
【００６８】
ステップ７：エラー訂正回路３２から出力されたエラー訂正済み再生信号を空間光変調器（ＳＬＭ）２３へ帰還する。
【００６９】
（ト）ステップ８：光源２１からの出射され、コリメートレンズ２２でほぼ平行光となった光を空間光変調器２３に入射させ、帰還されたエラー訂正済み再生信号によって、変調する。このとき、空間光変調器２３からの出力光は、記録過程と同様に記録信号に応じて明るい部分と暗い部分とが分布し、記録用光束とほぼ同等な光束となっている。
【００７０】
（チ）ステップ９：再生時のステップ９によって記録層７２を通過した光は、干渉縞が形成された部分でのみ回折光が発生する。再生時のステップ９においての再生された光は、記録時の記録用光束Φ1とほぼ同等で、記録信号に応じて明るい部分と暗い部分が分布した光束から回折格子７１で回折された光である。記録時と再生時の光学系の条件の不一致に起因した記録用光束と再生用光束との相関の低下にる再生像の劣化、ブラッグ条件の不整合成分によるノイズなどが改善されている。
【００７１】
ステップ９までで再生過程を終了させ、最終的に、エラー訂正回路３２からエラー訂正された再生信号として出力され、図６に示すＤ／Ａ変換回路４２に入力される。但し、エラーレイトが所望の水準以下に入らない場合は、ステップ９が終了した後、得られた再生信号を空間光変調器２３に更に帰還し、ステップ２〜ステップ９のような過程を、帰還ループを用いて、数回繰り返して、その後、エラー訂正回路３２からエラー訂正された再生信号として、Ｄ／Ａ変換回路４２に出力するようにしてもよい。
【００７２】
以上、所望のエラーレイト以下の再生信号が得られたら、ステップ１からステップ９までを繰り返し記録された信号を順次再生していく。
【００７３】
（第３の実施の形態：透過型／反射型両立方式）
具体的なシステム構成の概略は、基本的事項は、第２の実施の形態において図６を用いて説明した通りであるが、本発明の第３の実施の形態に係る記録再生装置においては、記録層７２の奥に反射層７４がない透過型ホログラフィック記録媒体７０と、記録層７２の奥に反射層７４がある反射型ホログラフィック記録媒体７０との両方を、ピックアップ部を切り換えて使用可能な両立方式の記録再生装置について説明する。
【００７４】
即ち、本発明の第３の実施の形態に係る記録再生装置は、図８に示すように、記録及び再生用光源２１、コリメートレンズ２８、空間光変調器２３、集光レンズ２４、コリメートレンズ２５、検出器２６、ホログラフィック記録媒体７０、コリメートレンズ２８、検出器２９を備えている。図８中、コリメートレンズ２５と検出器２６は、ホログラフィック記録媒体７０の記録層７２の奥に反射層７４がある場合に用いる主ピックアップ部の構造であり、反射層７４がない透過型のホログラフィック記録媒体を使用する場合は、再生信号光束の検出に際しては、主ピックアップ部を使用せず、ホログラフィック記録媒体７０の記録層７２を透過した光が達するコリメートレンズ２８と検出器２９を備えた補助ピックアップ部を使用する。
【００７５】
即ち、反射型ホログラフィック記録・再生に用いる主ピックアップ部は、ホログラフィック記録媒体７０のカバー層７３側に配置され、主ピックアップ部の内部に、コリメートレンズ２５、検出器２６と共に光源２１、コリメートレンズ２２、空間光変調器２３、集光レンズ２４を備えている。一方、透過型ホログラフィック記録・再生に用いる補助ピックアップ部は、ホログラフィック記録媒体７０の記録層７２側に配置され、補助ピックアップ部の内部に、再生信号光束をコリメートするコリメートレンズ２８及び再生信号光束を検出する検出器２９が配置されている。そして、主ピックアップ部の検出器２６と補助ピックアップ部の検出器２９とを切り換えるスイッチＳ2を備えている。他は、第１及び第２の実施の形態に係る記録再生装置のピックアップと実質的に同様であるので、重複した説明を省略する。
【００７６】
又、ホログラフィック記録媒体７０を取り付ける回転軸５２、この回転軸５２を回転させるスピンドルモータ５１、ホログラフィック記録媒体７０の回転数を所定の値に保つようにスピンドルモータ５１を制御する回転制御系４８、ピックアップ５３をホログラフィック記録媒体７０の半径方向に移動可能とする粗動モータ制御系４７、信号処理回路４１、Ａ／Ｄ変換回路４５、Ｄ／Ａ変換回路４２及びシステムコントローラ４６等の構成は、第２の実施の形態に係る記録再生装置において既に説明したの構成と同様であるので、重複した説明を省略する。
【００７７】
第３の実施の形態に係る記録再生装置を用いてホログラフィック記録媒体７０に記録する手順は、第１の実施の形態において、図３及び図４を用いて説明した通りであり、透過型ホログラフィック記録媒体７０から記録信号を再生する手順は、図５を用いて説明した第１の実施の形態の再生手順と基本的に同様であり、反射型ホログラフィック記録媒体７０から記録信号を再生する手順は、第２の実施の形態の再生手順と基本的に同様であるので、重複した説明を省略する。
【００７８】
（その他の実施の形態）
上記のように、本発明は第１〜第３の実施の形態によって記載したが、この開示の一部をなす論述及び図面は本発明を限定するものであると理解すべきではない。この開示から当業者には様々な代替実施の形態、実施例及び運用技術が明らかとなろう。
【００７９】
第１〜第３の実施の形態においては、記録と再生を同一の装置で実施する記録再生装置について述べたが、別の記録再生装置又は別の記録専用装置を用いて別途ホログラフィック記録媒体７０に記録された情報を、再生のみする再生専用機でも、本発明の技術的思想が適用可能であることは、容易に理解であろう。
【００８０】
したがって、本発明の技術的範囲は上記の説明から妥当な特許請求の範囲に係る発明特定事項によってのみ定められるものである。
【図面の簡単な説明】
【００８１】
【図１】本発明の第１の実施の形態に係る記録再生装置の基本構成を示す概略図である。
【図２】本発明の第１の実施の形態に係る記録再生装置に用いるホログラフィック記録媒体の構造を説明するための、模式的な平面図である。
【図３】本発明の第１の実施の形態に係る記録再生装置における集光レンズとホログラフィック記録媒体との位置関係、ビーム形状及び記録マーク径を説明する模式図である。
【図４】本発明の第１の実施の形態に係る記録再生装置に用いて、ホログラフィック記録媒体に記録する際の記録用光束とそれによる回折光を説明する模式図である。
【図５】本発明の第１の実施の形態に係る記録再生装置に用いて、ホログラフィック記録媒体から記録された情報を読み出す際の再生用光束、それによる回折光、再生信号光束を説明する模式図である。
【図６】本発明の第２の実施の形態に係る記録再生装置のシステム構成の全体を示す概略図である。
【図７】本発明の第２の実施の形態に係る記録再生装置の基本構成を示す概略図である。
【図８】本発明の第３の実施の形態に係る記録再生装置の基本構成を示す概略図である。
【図９】従来の記録再生装置の基本構成を示す概略図である。
【図１０】他の従来の記録再生装置の基本構成を示す概略図である。
【符号の説明】
【００８２】
２１…光源
２１…再生用光源
２２…コリメートレンズ
２３…空間光変調器
２４…集光レンズ
２５，２８…コリメートレンズ
２６，２９…検出器
３１…記録信号記憶装置
３２…エラー訂正回路
３３…復調器
４１…信号処理回路
４２…Ｄ／Ａ変換回路
４３…表示装置
４４…映像信号入力回路
４５…Ａ／Ｄ変換回路
４６…システムコントローラ
４７…粗動モータ制御系
４８…回転制御系
５１…スピンドルモータ
５２…回転軸
５３…ピックアップ
７０，７６…ホログラフィック記録媒体
７１，７７…回折格子
７２…記録層
７３…カバー層
７４…反射層
７５…クランプ穴
Φ1…記録用光束
Φ2…再生用光束
Φ3…再生信号光束
Φr…参照光
Φs…信号光
Ｇ…旋光板
Ｌ１…凸レンズ
Ｌ２…凸レンズ
Ｌ３…凸レンズ
Ｍ１…ミラー
Ｍ２…ミラー
ＰＢＳ…偏光ビームスプリッタ
Ｓ1，Ｓ2…スイッチ
【図１】
2008097738.tif 000003
【図２】
2008097738.tif 000004
【図３】
2008097738.tif 000005
【図４】
2008097738.tif 000006
【図５】
2008097738.tif 000007
【図６】
2008097738.tif 000008
【図７】
2008097738.tif 000009
【図８】
2008097738.tif 000010
【図９】
2008097738.tif 000011
【図１０】
2008097738.tif 000012